【手続補正書】
【提出日】平成20年4月25日(2008.4.25)
【手続補正１】
【補正対象書類名】特許請求の範囲
【補正対象項目名】全文
【補正方法】変更
【補正の内容】
【特許請求の範囲】
【請求項１】
他の通信装置と通信を行う通信手段を備えた通信装置であって、
所定の時刻になったときに取得した位置情報に基づいて自装置が第１の領域内にあると決まったときに、通知先として設定されている識別情報の他の通信装置に通知するように制御する一方、
他の通信装置の位置情報に基づいて該他の装置が第２の領域内にあると決まったときに通知を受けるように制御する制御手段を備えたことを特徴とする通信装置。
【請求項２】
前記通知先として設定されている識別情報は、あらかじめ記憶されている識別情報から設定された識別情報であることを特徴とする請求項１に記載の通信装置。
【請求項３】
前記領域は、あらかじめ設定された位置情報に基づいた領域であることを特徴とする請求項１または２のいずれかに記載の通信装置。
【請求項４】
前記領域は、あらかじめ設定された位置情報を中心とした所定の半径の領域であることを特徴とする請求項１乃至３のいずれかに記載の通信装置。
【請求項５】
前記領域は、あらかじめ設定された位置情報に基づいた所定の大きさの正方形あるいは長方形の領域であることを特徴とする請求項１乃至３のいずれかに記載の通信装置。
【請求項６】
前記通知は、前記位置情報あるいは該位置情報に関連した情報の通知であることを特徴とする請求項１乃至５のいずれかに記載の通信装置。
【請求項７】
前記位置情報あるいは位置情報に関連する情報を、１以上記憶するように制御することを特徴とする請求項６に記載の通信装置。
【請求項８】
前記位置情報に関連する情報は時刻情報であることを特徴とする請求項６または７のいずれかに記載の通信装置。
【請求項９】
前記通知は、メールによる通知であることを特徴とする請求項１乃至８のいずれかに記載の通信装置。
【請求項１０】
前記通知は、ＨＴＴＰあるいはＦＴＰによる通知であることを特徴とする請求項１乃至８のいずれかに記載の通信装置。
【請求項１１】
他の通信装置と通信を行う通信手段を備えた通信装置の制御方法であって、
所定の時刻になったときに取得した位置情報に基づいて自装置が第１の領域内にあると決まったときに、通知先として設定されている識別情報の他の通信装置に通知するように制御する一方、
他の通信装置の位置情報に基づいて該他の装置が第２の領域内にあると決まったときに通知を受けるように制御する制御ステップを備えたことを特徴とする通信装置の制御方法。
【請求項１２】
前記通知先として設定されている識別情報は、あらかじめ記憶されている識別情報から設定された識別情報であることを特徴とする請求項１１に記載の通信装置の制御方法。
【請求項１３】
前記領域は、あらかじめ設定された位置情報に基づいた領域であることを特徴とする請求項１１または１２のいずれかに記載の通信装置の制御方法。
【請求項１４】
前記領域は、あらかじめ設定された位置情報を中心とした所定の半径の領域であることを特徴とする請求項１１乃至１３のいずれかに記載の通信装置の制御方法。
【請求項１５】
前記領域は、あらかじめ設定された位置情報に基づいた所定の大きさの正方形あるいは長方形の領域であることを特徴とする請求項１１乃至１３のいずれかに記載の通信装置の制御方法。
【請求項１６】
前記通知は、前記位置情報あるいは該位置情報に関連した情報の通知であることを特徴とする請求項１１乃至１５のいずれかに記載の通信装置の制御方法。
【請求項１７】
前記位置情報あるいは位置情報に関連する情報を、１以上記憶するように制御することを特徴とする請求項１６に記載の通信装置の制御方法。
【請求項１８】
前記位置情報に関連する情報は時刻情報であることを特徴とする請求項１６または１７のいずれかに記載の通信装置の制御方法。
【請求項１９】
前記通知は、メールによる通知であることを特徴とする請求項１１乃至１８のいずれかに記載の通信装置の制御方法。
【請求項２０】
前記通知は、ＨＴＴＰあるいはＦＴＰによる通知であることを特徴とする請求項１１乃至１８のいずれかに記載の通信装置の制御方法。
【請求項２１】
他の通信装置と通信を行う通信手段を備えた通信装置のコンピュータが実行可能なプログラムであって、
所定の時刻になったときに取得した位置情報に基づいて自装置が第１の領域内にあると決まったときに、通知先として設定されている識別情報の他の通信装置に通知するように制御する一方、
他の通信装置の位置情報に基づいて該他の装置が第２の領域内にあると決まったときに通知を受けるように制御する制御ステップを備えたことを特徴とするプログラム。
【請求項２２】
前記通知先として設定されている識別情報は、あらかじめ記憶されている識別情報から設定された識別情報であることを特徴とする請求項２１に記載のプログラム。
【請求項２３】
前記領域は、あらかじめ設定された位置情報に基づいた領域であることを特徴とする請求項２１または２２のいずれかに記載のプログラム。
【請求項２４】
前記領域は、あらかじめ設定された位置情報を中心とした所定の半径の領域であることを特徴とする請求項２１乃至２３のいずれかに記載のプログラム。
【請求項２５】
前記領域は、あらかじめ設定された位置情報に基づいた所定の大きさの正方形あるいは長方形の領域であることを特徴とする請求項２１乃至２３のいずれかに記載のプログラム。
【請求項２６】
前記通知は、前記位置情報あるいは該位置情報に関連した情報の通知であることを特徴とする請求項２１乃至２５のいずれかに記載のプログラム。
【請求項２７】
前記位置情報あるいは位置情報に関連する情報を、１以上記憶するように制御することを特徴とする請求項２６に記載のプログラム。
【請求項２８】
前記位置情報に関連する情報は時刻情報であることを特徴とする請求項２６または２７のいずれかに記載のプログラム。
【請求項２９】
前記通知は、メールによる通知であることを特徴とする請求項２１乃至２８のいずれかに記載のプログラム。
【請求項３０】
前記通知は、ＨＴＴＰあるいはＦＴＰによる通知であることを特徴とする請求項２１乃至２８のいずれかに記載のプログラム。
【手続補正２】
【補正対象書類名】明細書
【補正対象項目名】発明の名称
【補正方法】変更
【補正の内容】
【発明の名称】通信装置およびその制御方法、および、プログラム
【手続補正３】
【補正対象書類名】明細書
【補正対象項目名】０００１
【補正方法】変更
【補正の内容】
【０００１】
本発明は、他の通信装置と通信を行う通信手段を備えた通信装置およびその制御方法、および、プログラムに関する。
【手続補正４】
【補正対象書類名】明細書
【補正対象項目名】０００２
【補正方法】変更
【補正の内容】
【０００２】
近年、ＧＰＳ機能を搭載した携帯型電話機が多数開発されている。ＧＰＳ（全地球測位システム）は、一般には、複数の人工衛星からの電波を受信し、その到達時間のずれから自分のいる緯度と経度等の地球上の位置情報を算出するシステムである。
【手続補正５】
【補正対象書類名】明細書
【補正対象項目名】０００３
【補正方法】変更
【補正の内容】
【０００３】
ＧＰＳの携帯型電話機への適用例としては、位置情報を取得し、ディスプレイの地図上に位置を表示するシステムがあるが、まだまだ利便性に欠けるところがある。
【手続補正６】
【補正対象書類名】明細書
【補正対象項目名】０００４
【補正方法】削除
【補正の内容】
【手続補正７】
【補正対象書類名】明細書
【補正対象項目名】０００５
【補正方法】削除
【補正の内容】
【手続補正８】
【補正対象書類名】明細書
【補正対象項目名】０００６
【補正方法】変更
【補正の内容】
【０００６】
本発明は、位置情報の扱いにおいて利便性の高い通信装置およびその制御方法、および、プログラムを提供することを目的とする。
【手続補正９】
【補正対象書類名】明細書
【補正対象項目名】０００７
【補正方法】変更
【補正の内容】
【０００７】
本発明は、他の通信装置と通信を行う通信手段を備えた通信装置であって、所定の時刻になったときに取得した位置情報に基づいて自装置が第１の領域内にあると決まったときに、通知先として設定されている識別情報の他の通信装置に通知するように制御する一方、他の通信装置の位置情報に基づいて該他の装置が第２の領域内にあると決まったときに通知を受けるように制御する制御手段を備えたものである。
また、前記通知先として設定されている識別情報は、あらかじめ記憶されている識別情報から設定された識別情報である。
また、前記領域は、あらかじめ設定された位置情報に基づいた領域である。
また、前記領域は、あらかじめ設定された位置情報を中心とした所定の半径の領域である。
また、前記領域は、あらかじめ設定された位置情報に基づいた所定の大きさの正方形あるいは長方形の領域である。
また、前記通知は、前記位置情報あるいは該位置情報に関連した情報の通知である。
また、前記位置情報あるいは位置情報に関連する情報を、１以上記憶するように制御するようにしたものである。
また、前記位置情報に関連する情報は時刻情報である。
また、前記通知は、メールによる通知である。
また、前記通知は、ＨＴＴＰあるいはＦＴＰによる通知である。
【手続補正１０】
【補正対象書類名】明細書
【補正対象項目名】０００８
【補正方法】変更
【補正の内容】
【０００８】
また、他の通信装置と通信を行う通信手段を備えた通信装置の制御方法であって、所定の時刻になったときに取得した位置情報に基づいて自装置が第１の領域内にあると決まったときに、通知先として設定されている識別情報の他の通信装置に通知するように制御する一方、他の通信装置の位置情報に基づいて該他の装置が第２の領域内にあると決まったときに通知を受けるように制御する制御ステップを備えたものである。
また、前記通知先として設定されている識別情報は、あらかじめ記憶されている識別情報から設定された識別情報である。
また、前記領域は、あらかじめ設定された位置情報に基づいた領域である。
また、前記領域は、あらかじめ設定された位置情報を中心とした所定の半径の領域である。
また、前記領域は、あらかじめ設定された位置情報に基づいた所定の大きさの正方形あるいは長方形の領域である。
また、前記通知は、前記位置情報あるいは該位置情報に関連した情報の通知である。
また、前記位置情報あるいは位置情報に関連する情報を、１以上記憶するように制御するようにしたものである。
また、前記位置情報に関連する情報は時刻情報である。
また、前記通知は、メールによる通知である。
また、前記通知は、ＨＴＴＰあるいはＦＴＰによる通知である。
【手続補正１１】
【補正対象書類名】明細書
【補正対象項目名】０００９
【補正方法】変更
【補正の内容】
【０００９】
また、他の通信装置と通信を行う通信手段を備えた通信装置のコンピュータが実行可能なプログラムであって、所定の時刻になったときに取得した位置情報に基づいて自装置が第１の領域内にあると決まったときに、通知先として設定されている識別情報の他の通信装置に通知するように制御する一方、他の通信装置の位置情報に基づいて該他の装置が第２の領域内にあると決まったときに通知を受けるように制御する制御ステップを備えたものである。
また、前記通知先として設定されている識別情報は、あらかじめ記憶されている識別情報から設定された識別情報である。
また、前記領域は、あらかじめ設定された位置情報に基づいた領域である。
また、前記領域は、あらかじめ設定された位置情報を中心とした所定の半径の領域である。
また、前記領域は、あらかじめ設定された位置情報に基づいた所定の大きさの正方形あるいは長方形の領域である。
また、前記通知は、前記位置情報あるいは該位置情報に関連した情報の通知である。
また、前記位置情報あるいは位置情報に関連する情報を、１以上記憶するように制御するようにしたものである。
また、前記位置情報に関連する情報は時刻情報である。
前記通知は、メールによる通知である。
また、前記通知は、ＨＴＴＰあるいはＦＴＰによる通知である。
【手続補正１２】
【補正対象書類名】明細書
【補正対象項目名】００１０
【補正方法】削除
【補正の内容】
【手続補正１３】
【補正対象書類名】明細書
【補正対象項目名】００１１
【補正方法】削除
【補正の内容】
【手続補正１４】
【補正対象書類名】明細書
【補正対象項目名】００１２
【補正方法】削除
【補正の内容】
【手続補正１５】
【補正対象書類名】明細書
【補正対象項目名】００１３
【補正方法】削除
【補正の内容】
【手続補正１６】
【補正対象書類名】明細書
【補正対象項目名】００１４
【補正方法】削除
【補正の内容】
【手続補正１７】
【補正対象書類名】明細書
【補正対象項目名】００１５
【補正方法】削除
【補正の内容】
【手続補正１８】
【補正対象書類名】明細書
【補正対象項目名】００１６
【補正方法】削除
【補正の内容】
【手続補正１９】
【補正対象書類名】明細書
【補正対象項目名】００１７
【補正方法】削除
【補正の内容】
【手続補正２０】
【補正対象書類名】明細書
【補正対象項目名】００１８
【補正方法】変更
【補正の内容】
【００１８】
本発明によれば、他の通信装置と通信を行う通信手段を備えた通信装置であって、所定の時刻になったときに取得した位置情報に基づいて自装置が第１の領域内にあると決まったときに、通知先として設定されている識別情報の他の通信装置に通知するように制御する一方、他の通信装置の位置情報に基づいて該他の装置が第２の領域内にあると決まったときに通知を受けるように制御する制御手段を備えたので、位置情報の扱いにおいて利便性が高くなるという効果を得る。
【手続補正２１】
【補正対象書類名】明細書
【補正対象項目名】００１９
【補正方法】削除
【補正の内容】